(57)【要約】【課題】発光装置において、所望の強度分布に対応した光を得る。【解決手段】透光性を有する保護カバー１０（カバー）と、保護カバー１０とは反対の向きに光Ｌを出射するＬＥＤパッケージ２２（発光体）と、ＬＥＤパッケージ２２に対して、保護カバー１０とは反対の側に配置され、ＬＥＤパッケージ２２から出射した光Ｌを、保護カバー１０に向けて反射する凹反射面８１を有するリフレクタ８０（反射部材）とを備え、凹反射面８１は、複数の小反射面８１ａの組み合わせにより形成され、小反射面８１ａのそれぞれは、複数の曲率半径を有している。【選択図】図９
2014164985.tif 000002
【特許請求の範囲】
【請求項１】
外面が発光面となる透光性を有するカバーと、前記カバーの内面に設けられ前記外面とは反対の向きに光を出射する発光体と、前記発光体を挟んで、前記カバーとは反対の側に配置され、前記発光体から出射した光を、前記カバーに向けて反射する反射面を有する反射部材とを備え、
前記反射部材は、前記反射面が複数の小反射面の組み合わせにより形成されたものであり、
前記複数の小反射面のそれぞれは、一部が前記発光体を焦点とする仮想の回転放物面に接する曲面で形成され、
前記曲面は、複数の曲率半径を有することを特徴とする発光装置。
【請求項２】
前記曲面は、前記回転軸に対する角度が０［度］の方向に反射された光の強度が最も強く、前記角度が大きくなるにしたがって反射された光の強度が小さくなるように、形成されていることを特徴とする請求項１に記載の発光装置。
【請求項３】
前記曲面は、前記回転放物面に接する部分から遠ざかるにしたがって、曲率が大きく、かつ曲率の小さい領域が広くなるように形成されているものであることを特徴とする請求項１または２に記載の発光装置。
【発明の詳細な説明】
【技術分野】
【０００１】
本発明は発光ダイオード（ＬＥＤ）などを用いた発光装置に関し、詳細には、発光体から出射された光を反射部材で反射させて発光体の背面方向（光の出射方向とは反対の方向）に出射する反射型の発光装置の改良に関する。
【背景技術】
【０００２】
発光装置として、発光体（ＬＥＤパッケージ）の発光面に対向させて反射部材（リフレクタ）を配置し、ＬＥＤパッケージから出射した光（出射光）をリフレクタで反射させ、その反射した光（反射光）をＬＥＤパッケージの背面側に配置されたカバーの外部に出射させる、いわゆる反射型のものが開発されている（特許文献１）。
【０００３】
また、リフレクタの反射面を、複数の小さな反射面（小反射面）を組み合わせて形成したマルチカットリフレクタ（ファセットリフレクタ）を用いて、光を反射させる技術が提案されている（特許文献２）。
【先行技術文献】
【特許文献】
【０００４】
【特許文献１】特開平１０−３３５７０６号公報
【特許文献２】特開平１０−２９００２８号公報
【発明の概要】
【発明が解決しようとする課題】
【０００５】
反射型の発光装置においては、リフレクタにより、反射する光（反射光）の強度分布を調整することが可能であるが、特許文献２に示されたものは、小反射面のそれぞれが平面であるため、これらの小反射面の向きや配置の調整だけで、反射光の強度分布を所望とするものに調整することはできない。
【０００６】
例えば、発光装置の真正面において強い強度の光を得、真正面に対して所定の角度の方向においても、ある程度の強度の光を得たい場合、各小反射面の向きや配置の調整だけで、そのような強度分布の光を得るのは難しい。
【０００７】
本発明は上記事情に鑑みなされたもので、所望の強度分布に対応した出射光を得ることができる発光装置を提供することを目的とする。
【課題を解決するための手段】
【０００８】
本発明に係る発光装置は、反射部材の反射面を複数の小反射面で形成し、その反射面のそれぞれを、一部が発光体を焦点とする仮想の回転放物面に接する、複数の曲率半径を有する曲面で形成したことで、回転放物面の回転軸に平行な方向に進む光を中心とした、所望の強度分布に対応した光を得るものである。
【０００９】
すなわち、本発明に係る発光装置は、外面が発光面となる透光性を有するカバーと、前記カバーの内面に設けられ前記外面とは反対の向きに光を出射する発光体と、前記発光体を挟んで、前記カバーとは反対の側に配置され、前記発光体から出射した光を、前記カバーに向けて反射する反射面を有する反射部材とを備え、前記反射部材は、前記反射面が複数の小反射面の組み合わせにより形成されたものであり、前記複数の小反射面のそれぞれは、一部が前記発光体を焦点とする仮想の回転放物面に接する曲面で形成され、前記曲面は、複数の曲率半径を有することを特徴とする。
【発明の効果】
【００１０】
本発明に係る発光装置によれば、所望の強度分布に対応した光を得ることができる。
【図面の簡単な説明】
【００１１】
【図１】本発明の発光装置の一実施形態としてのＬＥＤ光源ユニットを備えた交通信号灯を示す模式図である。
【図２】図１に示したＬＥＤ光源ユニットの外観を示す斜視図である。
【図３】図２に示したＬＥＤ光源ユニットの分解斜視図である。
【図４】保護カバーの内面に形成された溝を示す図である。
【図５】電気回路を実装面側から見た平面図である。
【図６】電気回路を配線面側から見た平面図である。
【図７】電気回路の回路図である。
【図８】リフレクタのおもて面に形成された凹反射面および小反射面を示す斜視図である。
【図９】凹反射面の詳細を示す断面図である。
【図１０】小反射面の詳細を示す断面図である。
【図１１】回転放物面の回転軸（ＬＥＤパッケージの光軸）に直交する面に投影した小反射面を示す模式図である。
【図１２】光軸に対する角度の方向に進む光を示す模式図である。
【図１３】光軸に対する角度ごと（左右方向）の光の強度分布を示す図であり、実線は警交仕規で規定された光の強度を示す。
【図１４】光軸に対する角度ごと（上下方向）の光の強度分布を示す図であり、実線は警交仕規で規定された光の強度を示す。
【図１５】断熱カバーを備えたＬＥＤ光源ユニットを示す、図２相当の分解斜視図である。
【発明を実施するための形態】
【００１２】
以下、本発明に係る発光装置の実施形態について、図面を参照して説明する。
【００１３】
本実施形態は、本発明に係る発光装置を図１に示した交通信号灯２００の各色（赤色、橙色、青緑色）にそれぞれ対応した灯火部であるＬＥＤ光源ユニット１００（発光装置の一例）に適用した例である。なお、交通信号灯の色は、赤、黄、青と表現することがある。
【００１４】
（構成）
図１に示した交通信号灯２００は、中空角柱状の本体ケース１５０に、３つのＬＥＤ光源ユニット１００，１００，１００が鉛直方向に並んで配置され、各ＬＥＤ光源ユニット１００の上縁に沿って庇１６０が設けられている。
【００１５】
本実施形態の交通信号灯２００は、図１に示したように、３つのＬＥＤ光源ユニット１００が縦に並んだものであるが、３つのＬＥＤ光源ユニット１００が横に並んだものであってもよい。
【００１６】
ただし、積雪地向けの交通信号灯２００としては、図示のように、ＬＥＤ光源ユニット１００が縦に並んだ縦型のものの方が、横に並んだ横型のものよりも、全体の着雪量が少なく、雪害対応の観点で有利である。
【００１７】
各ＬＥＤ光源ユニット１００は、図２，３に示すように、略円板皿状に形成された保護カバー１０（カバー）と、渦巻き状に形成された電気回路２０と、光を反射させるリフレクタ８０（反射部材）と、ゴムパッキン９０とを備えている。
【００１８】
保護カバー１０は、例えばポリカーボネートにより形成されていて、後述するＬＥＤパッケージ２２（発光体：図６等参照）から出射された光Ｌを透過させる透光性を有している。
【００１９】
この保護カバー１０は、厚さが略均一で、外面１０ａ（外方に向いた面）が発光面となる、緩やかな凸の曲面（例えば球面）で形成され、内面１０ｂ（内方に向いた面）は緩やかな凹の曲面（例えば球面）に形成されている。
【００２０】
外面１０ａが曲面で形成されていることにより、太陽光などの強い光が保護カバー１０に照射されたときであっても、外面１０ａで反射した光が、平面の場合のように外面１０ａの全面に亘って反射し、その反射した光の向きが特定の一方向に揃うのを防ぐことができる。
【００２１】
この結果、いずれの方向から交通信号灯２００を見ても、太陽光が映り込むことによる強い反射光の影響でＬＥＤ光源ユニット１００から発光した光Ｌの全てを視認できなくなるのを防止することができる。つまり、太陽光が映り込んでいない部分でＬＥＤ光源ユニット１００から発光した光Ｌを視認することができる。
【００２２】
保護カバー１０自体は略均一の厚さに形成されていて、光Ｌの透過時における屈折の影響を排除乃至低減している。
【００２３】
保護カバー１０の厚さが略均一である結果、内面１０ｂも緩やかな曲面となっている。なお、この内面１０ｂには、後述の電気回路２０の基板２１が接して設けられるため、基板２１が接する部分には、図４に示すように、底面１０ｆが平坦な面の、渦巻き状に延びた溝１０ｅが形成されている。
【００２４】
電気回路２０は、図５に示すように、渦巻き状に形成された基板２１の実装面２１ａに、３６個のＬＥＤパッケージ２２（発光体）と、ＬＥＤパッケージ２２を定電流で発光させるために駆動する駆動部品として３個のトランジスタ（ＭＯＳ−ＦＥＴ）２５とが接続されている。
【００２５】
ＬＥＤパッケージ２２は、それぞれセラミックや樹脂などで成形された金型の中にＬＥＤチップが実装され、シリコン樹脂等で封入されたものである。
【００２６】
３６個のＬＥＤパッケージ２２および３個のトランジスタ２５は、渦巻き状の基板２１が延びる方向に沿って一列に、略等間隔で分布して設けられている。
【００２７】
基板２１の、実装面２１ａの裏側の面には、図６示すように、実装されたトランジスタ２５に交流の商用電源で電力を供給する、銅箔等による電源配線２６ｂが形成されている。以下、この電源配線２６ｂが形成された面を配線面２１ｂという。
【００２８】
なお、実装面２１ａにも、ＬＥＤパッケージ２２同士やＬＥＤパッケージ２２と駆動回路とを接続する銅箔等によるＬＥＤ間信号線２６ｃが形成されている。
【００２９】
基板２１は、例えば、５０〜４００［μｍ］程度の厚さで形成され基材ＦＲ４（Flame Retardant Type 4）に銅箔で電源配線２６ｂおよびＬＥＤ間信号線２６ｃを形成し、透明なレジストを塗布したガラスエポキシ基板であり、基材の部分は光Ｌを含めて可視光線をある程度透過するが、電源配線２６ｂおよびＬＥＤ間信号線２６ｃの部分は光Ｌを透過しない。
【００３０】
ここで、基板２１の基材はガラスエポキシ基板に限定するものではなく、光学透過特性を有するものとして耐熱透明フィルム、例えば透明ポリイミドフィルムが望ましい。
【００３１】
電気回路２０は、その外径が保護カバー１０の内面１０ｂの直径よりもわずかに小さい程度に形成されていて、基板２１の配線面２１ｂが保護カバー１０の内面１０ｂに形成された溝１０ｅの底面１０ｆに接して設けられている。保護カバー１０に対する基板２１の接着は、例えば、熱伝導性の良い接着剤や両面テープ等が用いられている。
【００３２】
そして、電気回路２０が保護カバー１０の内面１０ｂ（溝１０ｅの底面１０ｆ）に接着された状態で、３６個のＬＥＤパッケージ２２は、保護カバー１０の内面１０ｂの全面に亘る領域内で、おおよそ均一に分布した配置となる。
【００３３】
基板２１の配線面２１ｂが保護カバー１０の内面１０ｂに接着されていることで、実装面２１ａの各ＬＥＤパッケージ２２から出射された光Ｌは、リフレクタ８０に向かう方向に進む。
【００３４】
基板２１に実装された３６個のＬＥＤパッケージ２２と３個のトランジスタ２５および駆動回路と電源配線２６ｂおよびＬＥＤ間信号線２６ｃとによって構成された電気回路は、図７に示すものとなっている。
【００３５】
基板２１に実装された３６個のＬＥＤパッケージ２２のうち、図５に示した基板２１の渦巻きの外周部分に配置されている１７個のＬＥＤパッケージ２２は、図７の回路図における１段目のＬＥＤブロック２２Ａに対応し、残りの１９個のＬＥＤパッケージ２２は、２段目のＬＥＤブロック２２Ｂに対応している。
【００３６】
リフレクタ８０は、電気回路２０を挟んで、保護カバー１０とは反対の側に、電気回路２０の実装面２１ａに対向して配置されている。
【００３７】
リフレクタ８０の、実装面２１ａに対向したおもて面８０ａには、図８に示すように、３６個の凹反射面８１（反射面）が形成されている。これら３６個の凹反射面８１は、保護カバー１０に接着された電気回路２０の３６個のＬＥＤパッケージ２２の位置にそれぞれ対応した位置に形成されている。
【００３８】
各凹反射面８１は、それぞれ対応するＬＥＤパッケージ２２から発光した光Ｌを、保護カバー１０に向けて反射させる鏡面となっている。
【００３９】
これらの凹反射面８１のそれぞれは、複数の小さな反射面８１ａ（以下、小反射面８１ａという。）の組み合わせにより形成されたものであり、各凹反射面８１を形成するこれら小反射面８１ａのそれぞれは、図９に示すように、一部がＬＥＤパッケージ２２の発光点２２ｃを焦点とする仮想の回転放物面Ｓ（回転放物面Ｓを、ＬＥＤパッケージ２２の光軸Ｃを含む平面で切断したときの放物線Ｍを、二点鎖線で示す。）に接するように形成されている。
【００４０】
つまり、各小反射面８１ａは、回転放物面Ｓと共通する接線を有するように形成されている。なお、回転放物面Ｓは、放物線Ｍを光軸Ｃ回りに回転して形成された曲面である。
【００４１】
また、各凹反射面８１を形成する複数の小反射面８１ａのそれぞれは、複数の曲率半径を有している。これら複数の小反射面８１ａのそれぞれは、詳しくは図１０に示すように、回転放物面Ｓに接する部分８１ｂから遠ざかるにしたがって曲率が大きくなる（曲率半径Ｒ１＞Ｒ２＞Ｒ３）、発光点２２ｃに向けて凸の曲面で形成されている。
【００４２】
各小反射面８１ａの一部は、曲率がゼロ（曲率半径が無限大）の平面であってもよく、本実施形態においては、小反射面８１ａのうち、回転放物面Ｓに接する部分８１ｂを含む内側部分８１ｃが平面で形成されている。
【００４３】
そして、小反射面８１ａのうち、平面で形成された内側部分８１ｃの外側に連なる部分８１ｄ（以下、外側部分８１ｄという）は、内側部分８１ｃから滑らかに連なるように、曲率が連続して形成されている。
【００４４】
また、各凹反射面８１を形成している複数の小反射面８１ａは、回転放物面Ｓの回転軸である光軸Ｃに直交する面Ｋに投影して得られる投影小反射面８１Ａの形状が、図１１に示すように互いに略同一の正六角形で、かつ投影小反射面８１Ａ同士の間隔Ｐが等間隔となるように形成されている。
【００４５】
なお、小反射面８１ａの曲面を規定する曲率は、凹反射面８１（複数の小反射面８１ａの組み合わせ）で反射された光Ｌにおける、回転放物面Ｓの回転軸である光軸Ｃに対する角度θ（図１２）ごとの強度を、所望の分布とするように設計されたものである。
【００４６】
所望とする反射光Ｌの強度分布としては、具体的には、例えば図１３，１４に示すようなものなどである。図１３に示した強度分布（ハッチングの領域部分）は、光軸Ｃを水平線に沿わせたとき水平面内での光軸Ｃに対する角度θ（左右方向の角度θ）ごとの光Ｌの強度分布であり、図１４に示した強度分布（ハッチングの領域）は、光軸Ｃを水平線に沿わせたとき鉛直面内での光軸Ｃに対する角度θ（上下方向の角度θ）ごとの光Ｌの強度分布であり、これら２つの方向での強度分布はそれぞれ、交通信号灯２００の灯火部の強度分布を規定した警交仕規（図中、実線で示す）を充足するものである。
【００４７】
リフレクタ８０の周縁の枠部８２には、図３に示すように、電気回路２０に外部の制御機器から商用電源等の電力を供給するための電力線が接続されるコネクタ８８が形成されている。
【００４８】
コネクタ８８と電気回路２０の電極２６ａ，２６ａとは、図示を省略した電線によって接続されていて、その電線は、リフレクタ８０を貫いて配線されている。
【００４９】
ゴムパッキン９０は、保護カバー１０およびリフレクタ８０の周縁に密着して、これら保護カバー１０およびリフレクタ８０を、図２に示すように一体化して保持し、保護カバー１０とリフレクタ８０とで仕切られた内部の空間に雨や雪などが浸入するのを阻止している。
【００５０】
（作用、効果）
以上のように構成された本実施形態のＬＥＤ光源ユニット１００によれば、コネクタ８８を通じて供給された電力により、電気回路２０の各トランジスタ２５が駆動され、各トランジスタ２５の駆動によって、各ＬＥＤパッケージ２２の発光点２２ｃから、図９に示すように、リフレクタ８０に向けて光Ｌが出射される。
【００５１】
発光点２２ｃから出射された光Ｌは、光軸Ｃを中心に拡がってリフレクタ８０の各小反射面８１ａに到達する。
【００５２】
各小反射面８１ａのうち回転放物面Ｓに接する部分８１ｂに到達した光Ｌは、図１０に示すように、光軸Ｃに平行な方向に光Ｌ１（以下、平行光Ｌ１という。）として反射され、各小反射面８１ａのうち回転放物面Ｓに接する部分８１ｂ以外の部分に到達した光Ｌは、その反射した部分における接線と、その光Ｌが通過した回転放物面Ｓにおける接線とがなす角度の略２倍の角度θだけ、光軸Ｃから離れた方向に進む光Ｌ２（以下、周辺光Ｌ２という。）として反射される。
【００５３】
各小反射面８１ａのそれぞれの部分で反射された平行光Ｌ１および周辺光Ｌ２は、保護カバー１０に向かって進み、保護カバー１０を透過してＬＥＤ光源ユニット１００の外部の人（歩行者や自動車等の運転者など）などに視認される。
【００５４】
したがって、図１２に示すように、ＬＥＤ光源ユニット１００の外部の人のうち、ＬＥＤ光源ユニット１００の真正面（光軸Ｃに平行な方向）から反射光Ｌを視認した人は、反射光Ｌのうち平行光Ｌ１を視認し、ＬＥＤ光源ユニット１００の光軸Ｃに対して角度θの方向から反射光Ｌを視認した人は、反射光Ｌのうち光軸Ｃに対する角度θの周辺光Ｌ２を視認する。
【００５５】
光軸Ｃに対する角度θごとの反射光Ｌの強度分布は、図１３，１４の実線よりも上方のハッチングで示した範囲のものとなり、最大値はθがどの角度であってもＴ０となる。
【００５６】
このとき、強度分布は、回転放物面Ｓに接する部分８１ｂに近い部分ほど、小反射面８１ａの曲面の曲率は小さいため、光軸Ｃに対する角度が小さく反射される光ほど、光束の密度が大きくなり、したがって、平行光Ｌ１およびその極近傍での光Ｌの強度が最大強度となり、回転放物面Ｓに接する部分８１ｂから離れた部分ほど、小反射面８１ａの曲面の曲率は大きいため、角度θが大きくなるにしたがって、光束の密度が小さくなり、光Ｌの強度は小さくなるように設計される。
【００５７】
このように、本実施形態のＬＥＤ光源ユニット１００によれば、小反射面８１ａを曲面で形成したことで、反射光の強度分布を、例えば図１３，１４に示すように所望とするものに調整することができる。
【００５８】
しかも、小反射面８１ａは、回転放物面Ｓに接する部分８１ｂにおいて曲率が最も小さく、回転放物面Ｓに接する部分８１ｂから遠ざかるにしたがって曲率が大きくなり、かつ、回転放物面Ｓに接する部分８１ｂの曲率が小さい領域を広く、回転放物面Ｓに接する部分８１ｂから遠ざかるにしたがって曲率が大きくなる領域を狭くしているため、回転放物面Ｓの回転軸である光軸Ｃに平行に反射される光Ｌ１の光量が、光軸Ｃに対する角度θが増大する方向に反射される周辺光Ｌ２の光量に比べて多いため、ＬＥＤ光源ユニット１００の真正面で強い強度、その周囲の所定の角度θで、真正面よりも弱い強度の分布の反射光Ｌが必要とされる条件、例えば実線で示した警交仕規を満たしたものとすることができる。
【００５９】
なお、小反射面８１ａは、光軸Ｃに対する角度θが０［度］の方向に反射された平行光Ｌ１の強度が、例えば警交仕規の左右方向について規定された第１の値Ｔ１（図１３，１４中の実線の最大値）を超え、光軸Ｃに対する角度θが０［度］以外の所定の角度θの方向に反射された光Ｌの強度が第１の値Ｔ１よりも小さい他の値を超えるように小反射面８１ａは、形成されている。
【００６０】
具体的には、図１３において、光軸Ｃに対する左右方向の角度θが０［度］の方向に反射された光Ｌの強度が第１の値Ｔ１（実線で示した警交仕規で規定された左右方向の角度０［度］における光強度の値）を超えるように形成され、光軸Ｃに対する左右方向の角度θが０〜１０［度］の方向に反射された光Ｌの強度が第２の値Ｔ２（実線で示した警交仕規で規定された左右方向の角度０〜１０［度］における光強度の値：Ｔ２＜Ｔ１）を超えるように形成され、光軸Ｃに対する左右方向の角度θが１０〜２０［度］の方向に反射された光Ｌの強度が第３の値Ｔ３（実線で示した警交仕規で規定された左右方向の角度１０〜２０［度］における光強度の値：Ｔ３＜Ｔ２）を超えるように形成され、光軸Ｃに対する左右方向の角度θが２０〜３０［度］の方向に反射された光Ｌの強度が第４の値Ｔ４（実線で示した警交仕規で規定された左右方向の角度２０〜３０［度］における光強度の値：Ｔ４＜Ｔ３）を超えるように形成され、光軸Ｃに対する左右方向の角度θが３０〜３３［度］の方向に反射された光Ｌの強度が第５の値Ｔ５（実線で示した警交仕規で規定された左右方向の角度３０〜３３［度］における光強度の値：Ｔ５＜Ｔ４）を超えるように形成されている。
【００６１】
同様に、図１４において、光軸Ｃに対する下方向の角度θが０［度］の方向に反射された光Ｌの強度が第１の値Ｔ１（実線で示した警交仕規で規定された下方向の角度０［度］における光強度の値）を超えるように形成され、光軸Ｃに対する下方向の角度θが０〜５［度］の方向に反射された光Ｌの強度が第２の値Ｔ２（実線で示した警交仕規で規定された下方向の角度０〜５［度］における光強度の値：Ｔ２＜Ｔ１）を超えるように形成され、光軸Ｃに対する下方向の角度θが５〜１０［度］の方向に反射された光Ｌの強度が第３の値Ｔ３（実線で示した警交仕規で規定された下方向の角度５〜１０［度］における光強度の値：Ｔ３＜Ｔ２）を超えるように形成され、光軸Ｃに対する下方向の角度θが１０〜２０［度］の方向に反射された光Ｌの強度が第４の値Ｔ４（実線で示した警交仕規で規定された下方向の角度１０〜２０［度］における光強度の値：Ｔ４＜Ｔ３）を超えるように形成され、光軸Ｃに対する下方向の角度θが２０〜３３［度］の方向に反射された光Ｌの強度が第５の値Ｔ５（実線で示した警交仕規で規定された下方向の角度２０〜３３［度］における光強度の値：Ｔ５＜Ｔ４）を超えるように形成されている。なお、角度θが４５［度］における光強度が、第５の値Ｔ５を下回る第６の値Ｔ６（Ｔ６＜Ｔ５）で規定されている。
【００６２】
なお、警交仕規によれば、黄色（橙色）と、赤色および青緑色（青色）とで、強度の最大値Ｔ０の値が異なり、黄色（橙色）における最大値Ｔ０は１７００［ｃｄ］以下、赤色および青緑色（青色）における最大値Ｔ０は９００［ｃｄ］以下にそれぞれ規定されている。
【００６３】
したがって、本実施形態の交通信号灯２００では、この規定にしたがって、各色ごとに、対応する最大値Ｔ０を超えないように、各ＬＥＤ光源ユニット１００が形成されている。
【００６４】
このように、本実施形態のＬＥＤ光源ユニット１００によれば、交通信号灯の要求仕様を定めた警交仕規に対して、適切に対応することができる。
【００６５】
また、本実施形態のＬＥＤ光源ユニット１００によれば、小反射面８１ａ間の間隔Ｐが等間隔であるため、反射光Ｌの強度分布も、角度θの変化に応じて不連続に変化することがない。
【００６６】
よって、ＬＥＤ光源ユニット１００の外部の人によって視認される光Ｌの強度分布の均一性が高められるとともに、ＬＥＤ光源ユニット１００の正面からずれた角度方向からみたときの反射光Ｌの強度や光像の形状（見た目）が、正面（光軸Ｃに沿った方向）から見たときと比べて大きく変化するのを防ぐことができる。
【００６７】
また、反射型の発光装置である本実施形態のＬＥＤ光源ユニット１００は、砲弾型ＬＥＤパッケージのような狭指向性ではなく広配光ＬＥＤパッケージを使用していること、および、凹反射面８１とＬＥＤパッケージ２２との間の距離を大きく設定していることにより、１つのＬＥＤパッケージ２２の発光が広がる範囲が大きくなるため、ＬＥＤパッケージ２２の数量を大幅に低減することができ、コストを低減することができる。
【００６８】
本実施形態のＬＥＤ光源ユニット１００は、ＬＥＤパッケージ２２から出射した光Ｌをリフレクタ８０によって効率よく反射して外部に出射させるため、わずか３６個のＬＥＤパッケージ２２によって、従来の非反射型のＬＥＤ光源ユニットと同程度またはそれ以上の視認性を得ることができる。
【００６９】
しかも、点光源であるＬＥＤパッケージ２２の光をリフレクタ８０の凹反射面８１の全体に拡げて出射させるため、単位面積当たりの光量を低減することができ、まぶしさ（グレア）を軽減させることができるため、車両の運転者が直視するものである交通信号灯２００のＬＥＤ光源ユニット１００として好適なものとなる。
【００７０】
なお、この実施形態における各小反射面８１ａを形成している曲面はそれぞれ、平面の内側部分８１ｃを含めて全面に亘って曲率が連続しているが、部分的に曲率が不連続であってもよい。
【００７１】
ただし、本発明においては、曲率が連続していた方が、外部の視認者から見た目が急激に変化するのを避けることができ、不自然さを感じさせない。
【００７２】
また、上記実施形態における小反射面８１ａのそれぞれは、発光点２２ｃに向けて凸の曲面であるが、発光点２２ｃに対して凹の曲面で形成されていてもよい。
【００７３】
上記実施形態における小反射面８１ａのそれぞれは、回転放物面Ｓに接する部分８１ｂが各小反射面８１ａの略中心部分に対応しているが、回転放物面Ｓに接する部分８１ｂは各小反射面８１ａの略中心部分であるものに限定されず、小反射面８１ａの外縁やその近傍の部分で回転放物面Ｓに接するように形成されたものであってもよい。
【００７４】
各凹反射面８１を形成している複数の小反射面８１ａは、面Ｋに投影して得られる投影小反射面８１Ａの形状が、互いに略同一で、かつ投影小反射面８１Ａ同士の間隔Ｐが等間隔のものに限るものではない。
【００７５】
すなわち、複数の小反射面８１ａは、投影小反射面８１Ａの形状や大きさが不揃いであってもよいし、互いに略同一で、投影小反射面８１Ａ同士の間隔Ｐが一定間隔でなくてもよい。
【００７６】
本実施形態のＬＥＤ光源ユニット１００は、保護カバー１０に太陽光などの強い光が照射されていても、光Ｌの少なくとも一部を視認可能とするために、保護カバー１０の外面１０ａは緩やかな曲面形状に形成されているが、本発明に係る発光装置におけるカバーは、この実施形態のものに限定されるものではなく、外面を平面としたものであってもよく、カバーの内面も平面であってもよい。
【００７７】
また、本実施形態のＬＥＤ光源ユニット１００は、保護カバー１０に電気回路２０が接着されているが、電気回路２０の各トランジスタ２５やＬＥＤパッケージ２２による伝熱からの伝熱により、保護カバー１０は非常に高温となる。
【００７８】
したがって、この熱によって、保護カバー１０に付着した雪や氷を溶かすことができ、付着した雪や氷によって光Ｌが遮られるのを防止することができる。
【００７９】
なお、本実施形態のＬＥＤ光源ユニット１００において、図１５に示すように、保護カバー１０とリフレクタ８０との間に、光Ｌを透過する透光性を有する断熱カバー７０を備えたものとしてもよい。
【００８０】
このようなものでは、電気回路２０に接して温められた空気が対流する空間を、断熱カバー７０によって狭く仕切ることができ、その対流による空気の熱を保護カバー１０に効率良く伝達させ、保護カバー１０の外面１０ａに付着した雪や氷を溶かす性能を向上させることができる。
【００８１】
したがって、断熱カバー７０を有するＬＥＤ光源ユニット１００は、保護カバー１０の外面１０ａに雪や氷が付着することによる光Ｌの視認性の低下を防止乃至抑制する効果が一層高く、特に寒冷地等での使用に好適である。
【００８２】
上述した実施形態は、本発明に係る発光装置を交通信号灯２００のＬＥＤ光源ユニット１００に適用した例であるが、本発明に係る発光装置は、この実施形態に限定されるものではなく、街路灯や照明器具、電光看板等に適用することができる。
【符号の説明】
【００８３】
１０      保護カバー（カバー）
２０      電気回路
２２      ＬＥＤパッケージ（発光体）
２２ｃ    発光点
８０    リフレクタ（反射部材）
８０ａ  おもて面
８１    凹反射面（反射面）
８１ａ  小反射面
８１Ａ  投影小反射面
８１ｂ  回転放物面に接する部分
１００  ＬＥＤ光源ユニット（発光装置）
Ｌ      光，出射光，反射光
Ｃ      光軸（回転軸）
Ｌ１    平行光
Ｌ２    周辺光
Ｓ      回転放物面
θ      角度
【図１】
2014164985.tif 000003
【図２】
2014164985.tif 000004
【図３】
2014164985.tif 000005
【図４】
2014164985.tif 000006
【図５】
2014164985.tif 000007
【図６】
2014164985.tif 000008
【図７】
2014164985.tif 000009
【図８】
2014164985.tif 000010
【図９】
2014164985.tif 000011
【図１０】
2014164985.tif 000012
【図１１】
2014164985.tif 000013
【図１２】
2014164985.tif 000014
【図１３】
2014164985.tif 000015
【図１４】
2014164985.tif 000016
【図１５】
2014164985.tif 000017